(57)【要約】【課題】浴室で使用者が転倒しそうになったときに身体を支持することで転倒を防止する。【解決手段】浴室Ａの上方から吊り下げた紐２と、紐２の吊り下げ長さＨを調節し且つ調節後の長さを固定する紐用調節具３と、紐２に接合したものであって身体に着脱自在に装着できる身体装着具４とを備え、身体装着具４を装着した状態の使用者が座る位置から起立する位置まで紐の吊り下げ長さＨを調節できるようにしたこと。【効果】使用者Ｍが身体装着具４を装着する共に座り状態又は起立状態の姿勢に応じて紐２の吊り下げ長さＨを調節すると、身体が身体装着具４を介して紐２で支持されるので、転倒しそうになつても紐２で引っ張られて転倒を防止できる。【選択図】　図２
2004097527.tif 000002
【特許請求の範囲】
【請求項１】
浴室の上方から吊り下げた紐と、該紐の吊り下げ長さを調節し且つ調節後の長さを固定する紐用調節具と、該紐に接合したものであって身体に着脱自在に装着できる身体装着具とを備え、該身体装着具を装着した状態の使用者が座る位置から起立する位置まで紐の吊り下げ長さを調節できるようにしたことを特徴とする浴室用転倒防止装置。
【請求項２】
前記紐用調節具は、引っ張られない状態の前記紐を巻き取ると共に引っ張られる状態の前記紐を巻き戻す巻取具と、該巻取具を前記紐の巻き取り及び巻き戻しが可能な非ロック状態または不可能なロック状態に変更するロック具とを備えている請求項１記載の浴室用転倒防止装置。
【請求項３】
前記ロック具は、通常は前記非ロック状態とし、前記紐を急速に巻き戻したときにのみ前記ロック状態とする請求項２記載の浴室用転倒防止装置。
【請求項４】
前記紐の吊り下げ位置が、浴槽の上方から洗い場の上方までの間で移動できる請求項１，２または３記載の浴室用転倒防止装置。
【請求項５】
二本の転倒防止バーが、浴槽内から起立した使用者が位置する起立空間を水平な状態で挟む転倒防止位置から挟まない後退位置まで進退自在に設けられていることを特徴とする浴室用転倒防止装置。
【請求項６】
前記浴槽の脇の壁部に、前記二本の転倒防止バーを仰伏自在に枢支した請求項５記載の浴室用転倒防止装置。
【発明の詳細な説明】
【０００１】
【発明の属する技術分野】
本発明は、入浴やシャワーするときに自力で起立したり座ったりすることが一応できるが足腰が弱っている者を補助する装置であって、転倒しそうなときに安全に支持して転倒を防止するための浴室用転倒防止装置に関するものである。
【０００２】
【従来の技術】
従来の浴室用転倒防止装置としては、浴室の壁や浴槽内に設けた握りバーがある（例えば、特許文献１参照）。また、自力で起立したり座ったりすることができない者のためは、入浴者をリフトで吊り上げる浴室用走行リフト装置がある（例えば、特許文献２参照）。
【０００３】
【特許文献１】
特開平５−１９９９４８号公報
【特許文献２】
特開平８−２８０５６４号公報
【０００４】
【発明が解決しようとする課題】
ところで、自力で起立したり座ったりすることが一応できるが足腰が弱い者は、浴室内での移動中や起立状態でのシャワー中に、ふらついたり滑ったりして握っている握りバーを離して転倒することがある。また、起立状態で全身を洗ったりシャワーをするときには、片手で握りバーを握るため、両手が使用できず不便である。また、浴室用走行リフト装置は、使用者をリフトで吊り上げるため、自力で起立したり座ったりすることが一応できるものにとっては却って使い難く不便である。
【０００５】
そこで、本発明は、前記問題を解決するために、使用者をリフトで吊り上げるものではなく、使用者が転倒しそうになったときに身体を支持することで転倒を防止する浴室用転倒防止装置の提供を目的とする。
【０００６】
【課題を解決するための手段】
浴室で使用者が転倒しそうになったときに身体を支持することで転倒を防止するために請求項１記載の本発明が採用した手段は、浴室の上方から吊り下げた紐と、該紐の吊り下げ長さを調節し且つ調節後の長さを固定する紐用調節具と、該紐に接合したものであって身体に着脱自在に装着できる身体装着具とを備え、該身体装着具を装着した状態の使用者が座る位置から起立する位置まで紐の吊り下げ長さを調節できるようにしたことを特徴とする浴室用転倒防止装置である。
本発明にあっては、使用者が身体装着具を装着する共に座り状態又は起立状態の姿勢に応じて紐の吊り下げ長さを調節すると、身体が身体装着具を介して紐で支持されるので、転倒しそうになつても紐で引っ張られて転倒を防止できる。
【０００７】
紐を姿勢に応じた長さ調節が簡単にできるようにするために請求項２記載の本発明が採用した手段は、前記紐用調節具は、引っ張られない状態の前記紐を巻き取ると共に引っ張られる状態の前記紐を巻き戻す巻取具と、該巻取具を前記紐の巻き取り及び巻き戻しが可能な非ロック状態または不可能なロック状態に変更するロック具とを備えている請求項１記載の浴室用転倒防止装置である。なお、前記紐用調節具を浴室の上方に配置して、紐用調節具の巻取具から前記紐を吊り下げることもある。
本発明にあっては、巻取具を非ロック状態にして座り状態又は起立状態の姿勢を変更したとき、紐は巻取具に巻き取られ又は巻取具から巻き戻されて姿勢に応じた長さに調節され、その後に巻取具をロック状態とすることで紐の吊り下げ長さを固定する。
【０００８】
転倒しそうなときに紐の巻き戻しを自動的に阻止するようにするために請求項３記載の本発明が採用した手段は、前記ロック具は、通常は前記非ロック状態とし、前記紐を急速に巻き戻したときにのみ前記ロック状態とする請求項２記載の浴室用転倒防止装置である。
本発明にあっては、通常は非ロック状態であるため姿勢に応じて紐の長さが自然に変化し、転倒しそうなときには紐が急速に微小長さ巻き戻されてロック状態となるので転倒を防止できる。
【０００９】
転倒を防止しながら浴槽から洗い場までの間を移動できるようにするために請求項４記載の本発明が採用した手段は、前記紐の吊り下げ位置が、浴槽の上方から洗い場の上方までの間で移動できる請求項１，２または３記載の浴室用転倒防止装置である。
本発明にあっては、浴槽と洗い場の間を移動するときにも、身体が身体装着具及び紐を介して支持されるので転倒を防止できる。
【００１０】
使い易くするために請求項５記載の本発明が採用した手段は、二本の転倒防止バーが、浴槽内から起立した使用者が位置する起立空間を水平な状態で挟む転倒防止位置から挟まない後退位置まで進退自在に設けられていることを特徴とする浴室用転倒防止装置である。
本発明にあっては、浴槽内で使用者が起立して二本の転倒防止バーを転倒防止位置へ移動させることで、起立状態の使用者を二本の転倒防止バーが挟むため、転倒しそうになっても転倒防止バーで身体を支持して転倒を防止すると共に、両手が使用できる。
【００１１】
転倒防止バーの進退操作が簡単にできるようにするため請求項６記載の本発明が採用した手段は、前記浴槽の脇の壁部に、前記二本の転倒防止バーを仰伏自在に枢支した請求項５記載の浴室用転倒防止装置である。
本発明にあっては、二本の転倒防止バーは仰伏操作することで転倒防止位置から後退位置までの間を進退する。
【００１２】
【発明の実施の形態】
以下、本発明に係る浴室用転倒防止装置（以下、「本発明転倒防止装置」という）を図面に示す実施の形態に基づいて説明する。
【００１３】
（第１の実施の形態）
図１及び図２は本発明転倒防止装置の第１の実施形態を示すものであり、図１は使用者の身体に装着しない状態を示す正面図、図２は使用者の身体に装着して使用している状態を示す正面図である。
【００１４】
本発明転倒防止装置１は、浴室Ａの上方から吊り下げた紐２と、紐２の吊り下げ長さＨを調節し且つ調節後の長さＨを固定する紐用調節具３と、紐２に接合したものであって身体に着脱自在に装着できる身体装着具４とを備え、身体装着具４を装着した状態の使用者Ｍが座る位置から起立する位置まで紐２の吊り下げ長さＨを調節できるようにしてある。紐２は、浴室Ａの上方に設けた吊り具５から吊り下げてある。
【００１５】
前記吊り具５は、浴室Ａの上方に配置したレール６に案内させたスライダー７に取り付けられ、紐２を挿通案内するリング又は紐２を反転案内する滑車等から構成されている。吊り具５は、スライダー７の移動に伴い、浴槽Ｂの上方からシヤーワーヘッド８のある洗い場Ｃの上方までの間を移動することができるようになっている。これにより、紐２の吊り下げ位置が浴槽Ｂの上方から洗い場Ｃの上方までの間で移動できるようになり、使用者Ｍは身体装着具４を装着した状態のまま浴槽Ｂの位置から洗い場Ｃの位置まで移動できる。なお、吊り具５は、スライダー７に取り付けることなく、図示は省略したが、浴槽Ｂの上方及び／又は洗い場Ｃの上方に固定配置することも可能である。
【００１６】
前記紐２は、耐水性があり且つ肌に接触しても傷を付けないような合成繊維等からなる丸ロープ又は帯状ベルト等で形成されている。紐用調節具３は、紐２の一端側２ａと他端側２ｂとを連結又は非連結の状態にするものであって、例えば、紐２の一端側２ａに取り付けられるブロック３ａと、ブロック３ａに穿設して紐２の他端側２ｂを挿通させた通通孔３ｂと、ブロック３ａに螺着して先端が通通孔３ｂへ出没する固定用ネジ３ｃを備え、固定用ネジ３ｃの先端を通通孔３ｂへ突出させて紐２の他端側２ｂを圧着して連結状態にすると共に、固定用ネジ３ｃの先端を通通孔３ｂから後退させて紐２の他端側２ｂを圧着しない非連結状態にするようにしてある。
【００１７】
前記身体装着具４は、耐水性があり且つ肌に接触しても傷を付けないような合成繊維等からなる帯状ベルト等で形成され、その中央部を紐２の一端側２ａに連結すると共に、両端側に連結用の面ファスナー又は紐等の連結手段４ａ，４ｂが取り付けられ、身体に巻き付けたときに両端側を連結手段４ａ，４ｂで連結できるようにしてある。
【００１８】
本発明転倒防止装置１を使用するときには、使用者Ｍの身体（例えば、胸の周り）に身体装着具４を装着する共に座り状態又は起立状態の姿勢に応じて紐２の吊り下げ長さＨを紐用調節具３で調節すると、身体が身体装着具４を介して紐２で支持されるので、転倒しそうになつても紐２で引っ張られて転倒を防止できる。本発明転倒防止装置１を使用することにより、不意の転倒を防止できるので安全であり、また両手が使用できるので便利である。
【００１９】
（第２の実施の形態）
図３及び図４は本発明転倒防止装置の第２の実施形態を示すものであり、図３は使用者の身体に装着しない状態を示す正面図、図４は使用者の身体に装着して使用している状態を示す正面図である。
【００２０】
本実施の形態の本発明転倒防止装置２１が前記第１の実施の形態（図１及び図２参照）と大きく異なる点は、紐用調節具１３である。紐用調節具１３は、引っ張られない状態の紐２を巻き取ると共に引っ張られる状態の紐２を巻き戻す巻取具１５と、巻取具１５を紐２の巻き取り及び巻き戻しが可能な非ロック状態または不可能なロック状態に変更するロック具１６とを備えている。本実施の形態は、スライダー７に紐用調節具１３を取り付け、紐用調節具１３から紐２を吊り下げている。この相違点以外の構成は、前記第１の実施の形態と実質的に同一であり、図中の同一符号は同一の構成部材等を示す。
【００２１】
前記巻取具１５は、図示は省略したが、例えば、紐２を巻き取り・巻き戻すために正逆回転するドラムと、該ドラムを紐２の巻き取り方向へ回転させる蔓巻バネとを備え、紐２が引っ張られて巻き戻されるときには蔓巻バネに反発弾性力を蓄え、逆に紐２が巻き戻す程度に引っ張られていないときには蔓巻バネに蓄えられている反発弾性力でドラムを回転させて紐２を巻き取るようにしてある。前記ロック具１６は、図示は省略したが、例えば、ドラムに対する係合と離脱（非係合）とが自在なラッチと、ラッチの係合・離脱を遠隔操作するワイヤーとを備え、使用者Ｍがワイヤーを手動で操作してラッチの係合・離脱ができるようにしてある。
【００２２】
本実施の形態の本発明転倒防止装置２０は、巻取具１５を非ロック状態にして座り状態又は起立状態の姿勢を変更したとき、紐は巻取具に巻き取られ又は巻取具から巻き戻されて姿勢に応じた長さに調節され、その後に巻取具１５をロック状態とすることで紐の吊り下げ長さを固定できるので、紐の長さ調節が簡単にできる。
【００２３】
（第３の実施の形態）
図５は本発明転倒防止装置の第３の実施形態を示すものであり、使用者の身体に装着しない状態を示す正面図である。
【００２４】
本実施の形態の本発明転倒防止装置３１が前記第２の実施の形態（図３及び図４参照）と大きく異なる点は、紐用調節具１３に備えたロック具を手動式から自動式に変更した点である。この変更点以外の構成は、前記第２の実施の形態と実質的に同一であり、図中の同一符号は同一の構成部材等を示す。
【００２５】
自動ロック式の紐用調節具１３のロック具は、紐２を巻き取り・巻き戻すために正逆回転するドラムを通常は非ロック状態とし、紐２を急速に引き出す方向へ巻き戻したときにのみドラムを自動的にロック状態にして紐２の引き出しを阻止するものである。このようなロック具は、図示は省略したが、例えば乗用車に備えられるシートベルト装置であってシートベルトの引き出される加速度が一定の速さになるとシートベルトをロックするウエビング感知方式の機構が利用される。ロック具は、例えば特開２００１−１２１２９公報の図７乃至図９に示す如く、紐（ロープ）の巻取ドラムと一体回転するロックギヤ、該ロックギヤに対して回転自在なロックリング、該ロックリング内で該ロックギヤと一体回転するリテーナーパウル、及び、リテーナーパウルとは一体回転するがロックギヤに対しては回転自在なフライホイールを収納器内に同心的に配置し、これらをロックギヤの回転軸に止め金具を螺着することによって一体化してなるものが採用できる。
【００２６】
本実施の形態の本発明転倒防止装置３１は、通常は非ロック状態であって使用者Ｍ（図４参照）の姿勢に応じて紐の長さＨが自然に変化し、使用者Ｍが転倒しそうなときには紐が急速に微小長さ巻き戻されることからロック状態となって紐の巻き戻しを自動的に阻止するので、転倒を防止することができると共に、転倒しそうなときに自動的にロックするので勝手の向上が図れる。
【００２７】
（第４の実施の形態）
図６は本発明転倒防止装置の第４の実施形態を示すものであり、使用状態を示す正面図である。
【００２８】
本発明転倒防止装置４１は、二本の転倒防止バー４２，４２が、浴槽Ｂ内から起立した使用者Ｍが位置する起立空間Ｓを水平な状態で挟む転倒防止位置Ｄから挟まない後退位置Ｅまで進退自在に設けられている。各転倒防止バー４２は、その進退操作が簡単にできるように、浴槽Ｂの脇の壁部Ｗに仰伏自在に枢支し、仰伏操作することで転倒防止位置Ｄから後退位置Ｅまでの間を進退するようになっている。なお、二本の転倒防止バー４２，４２は、使用者Ｍの身長に応じて転倒防止位置Ｄの高さ位置を変更できるようにすることもある。
【００２９】
本発明転倒防止装置４１は、浴槽Ｂ内で使用者Ｍが起立して二本の転倒防止バー４２，４２を転倒防止位置Ｄへ移動させて停止することで、起立状態の使用者Ｍを二本の転倒防止バーが挟むため、浴槽Ｂ内で滑る等して転倒しそうになっても転倒防止バー４２で身体を支持して転倒を防止するので安全であり、また両手が使用できるので便利である。本発明転倒防止装置４１は、浴槽Ｂ内で起立してシャワーヘッド８でシャワーするタイプの浴室に殊に有効である。
【００３０】
【発明の効果】
請求項１記載の本発明転倒防止装置は、使用者が転倒しそうになったときに、身体装着具及び紐を介して身体を支持して転倒を防止するので安全であり、また両手が使用できるので便利である。
【００３１】
請求項２記載の本発明転倒防止装置は、非ロック状態にして紐を姿勢に応じた長さに自動調節できる共にロック状態とすることで紐の吊り下げ長さを最適な状態で固定するので使い勝手の向上が図れる。
【００３２】
請求項３記載の本発明転倒防止装置は、転倒しそうなときに紐の巻き戻しを自動的に阻止するので、更に使い勝手の向上が図れる。
【００３３】
請求項４記載の本発明転倒防止装置は、浴槽から脱衣場までの間を転倒を防止した状態で移動できるので、入浴やシャワーが安全にできる。
【００３４】
請求項５記載の本発明転倒防止装置は、転倒しそうになっても転倒防止バーで身体を支持して転倒を防止するので安全であり、また両手が使用できるので便利である。
【００３５】
請求項６記載の本発明転倒防止装置は、二本の転倒防止バーの進退を仰伏操作で簡単にできるため、使い勝手の向上が図れる。
【図面の簡単な説明】
【図１】本発明転倒防止装置の第１の実施形態を示すものであり、使用者の身体に装着しない状態を示す正面図である。
【図２】第１の実施形態を示すものであり、使用者の身体に装着して使用している状態を示す正面図である。
【図３】本発明転倒防止装置の第２の実施形態を示すものであり、図３は使用者の身体に装着しない状態を示す正面図である。
【図４】第２の実施形態を示すものであり、使用者の身体に装着して使用している状態を示す正面図である。
【図５】本発明転倒防止装置の第３の実施形態を示すものであり、使用者の身体に装着しない状態を示す正面図である。
【図６】本発明転倒防止装置の第４の実施形態を示すものであり、使用状態を示す正面図である。
【符号の説明】
Ａ…浴室、Ｂ…浴槽、Ｃ…洗い場、Ｄ…転倒防止位置、Ｅ…後退位置、Ｈ…吊り下げ長さ、２…紐、３（１３）…紐用調節具、４…身体装着具
【図１】
2004097527.tif 000003
【図２】
2004097527.tif 000004
【図３】
2004097527.tif 000005
【図４】
2004097527.tif 000006
【図５】
2004097527.tif 000007
【図６】
2004097527.tif 000008